(57)【要約】      （修正有）【課題】信号用コネクタの盗難防止装置を提供する。【解決手段】信号用コネクタの盗難防止装置は、嵌合体内部に螺着固定部材と回転体を収める格納空間を備え、並びに、格納空間の一方側には内径が比較的小さい通路を形成する。螺着固定部材の内部の接続空間の一方側には信号用コネクタを挿入するための結合部を設け、尚且つ、結合部の他の一方側には複数の作動部を窪んだ状態で設ける。回転体は複数の貫通孔を備え、外部の手工具の棒体一方側にある従動部は嵌合体の通路から回転体の貫通孔を通り、さらに、螺着固定部材に対応する作動部に挿入すると可動嵌合状態を形成し、従動される螺着固定部材の接続空間と信号用コネクタの螺着或いは螺着解除を行う。従動部は、螺着固定部材の作動部及び回転体の貫通孔に係合させて各種の形状及び角度の変化を行う。【選択図】図２
0003174566.tif 000002
【実用新案登録請求の範囲】
【請求項１】
嵌合体と螺着固定部材と回転体を備える信号用コネクタの盗難防止装置は、
前記嵌合体の中空内部に螺着固定部材と回転体を収めて回転する格納空間を備え、並びに、格納空間の一方側には内径が比較的小さく、外部の手工具に備えた棒体を挿入するための通路を形成し、
前記螺着固定部材の内部には接続空間を備え、接続空間の一方側には予め設置した信号用コネクタを挿入し螺着結合する結合部を設け、尚且つ、結合部から離れたもう一方側には接続空間方向に窪んだ形状の複数の作動部を設け、
前記回転体は螺着固定部材と嵌合体の間に位置し、並びに、回転体上には作動部とずれた位置或いは向き合った状態をなす複数の貫通孔を備え、これにより、外部の手工具の棒体一方側にある従動部は回転体の貫通孔を通り、さらに、螺着固定部材に対応する作動部に挿入すると可動嵌合状態を形成し、従動される螺着固定部材の接続空間と予め設置した信号用コネクタの螺着或いは螺着解除を行うことを特徴とする信号用コネクタの盗難防止装置。
【請求項２】
前記嵌合体の通路から離れた一方側の開口箇所には内側方向のストッパーを設け、螺着固定部材の結合部には予め設置した信号用コネクタを挿入するための結合口を備え、並びに、結合口周囲エッジにはストッパーを支持し定位状態の環状支持部を設けることを特徴とする請求項１に記載の信号用コネクタの盗難防止装置。
【請求項３】
前記螺着固定部材の接続空間内壁面箇所には予め設置した信号用コネクタの接合部上の外ねじ山に螺着する内ねじ山を設け、尚且つ、内ねじ山の一方側には結合口を備えた結合部を設けることを特徴とする請求項１に記載の信号用コネクタの盗難防止装置。
【請求項４】
前記螺着固定部材の複数の作動部は環状配列し、尚且つ、作動部は矩形、弧形、円形、楕円形、或いは多角形の仕切体或いは嵌着溝であることを特徴とする請求項１に記載の信号用コネクタの盗難防止装置。
【請求項５】
嵌合体と螺着固定部材と回転体と手工具を備える信号用コネクタの盗難防止装置は、
前記嵌合体の中空内部に螺着固定部材と回転体を収めて回転する格納空間を備え、並びに、格納空間の一方側には内径が比較的小さい通路を形成し、
前記螺着固定部材の内部には接続空間を備え、接続空間の一方側には予め設置した信号用コネクタを挿入し螺着結合する結合部を設け、尚且つ、結合部から離れたもう一方側には接続空間方向に窪んだ形状の複数の作動部を設け、
前記回転体は螺着固定部材と嵌合体の間に位置し、並びに、回転体上には作動部とずれた位置或いは向き合った状態をなす複数の貫通孔を備え、
前記手工具は、嵌合体の通路から格納空間内に挿入する棒体を備え、並びに、棒体の一方側にある従動部の周囲エッジには外側方向の複数の推移体を設置し、これにより、棒体の従動部周囲エッジに位置する複数の推移体は回転体の貫通孔を通過し、さらに螺着固定部材に対応する作動部に挿入すると可動嵌合状態を形成し、従動される螺着固定部材の接続空間と予め設置した信号用コネクタの螺着或いは螺着解除を行うことを特徴とする信号用コネクタの盗難防止装置。
【請求項６】
前記嵌合体の通路から離れた一方側の開口箇所には内側方向のストッパーを設け、螺着固定部材の結合部には予め設置した信号用コネクタを挿入するための結合口を備え、並びに、結合口周囲エッジにはストッパーを支持し定位状態の環状支持部を設けることを特徴とする請求項５に記載の信号用コネクタの盗難防止装置。
【請求項７】
前記螺着固定部材の接続空間内壁面箇所には予め設置した信号用コネクタの接合部上の外ねじ山に螺着する内ねじ山を設け、尚且つ、内ねじ山の一方側には結合口を備えた結合部を設けることを特徴とする請求項５に記載の信号用コネクタの盗難防止装置。
【請求項８】
前記螺着固定部材の複数の作動部は環状配列し、尚且つ、作動部は矩形、弧形、円形、楕円形、或いは多角形の仕切体或いは嵌着溝であることを特徴とする請求項５に記載の信号用コネクタの盗難防止装置。
【請求項９】
前記回転体は回転盤を備え、回転盤上の複数の貫通孔中央箇所には、嵌合体の通路内に延伸する定位柱３２を軸方向に突設し、また、手工具の従動部の中央箇所には、定位柱を挿入するための嵌着孔を軸方向に形成し、尚且つ、嵌着孔の周囲エッジには外側方向に複数の推移体を設けることを特徴とする請求項５に記載の信号用コネクタの盗難防止装置。
【請求項１０】
前記手工具の複数の推移体間には、回転体を支持して棒体の挿入距離を制限する切欠口を形成することを特徴とする請求項９に記載の信号用コネクタの盗難防止装置。
【請求項１１】
前記手工具の従動部の複数の推移体は、等距離、不等距離、或いは一部等距離、一部不等距離で環状或いは間隔をあけて配列し、尚且つ、推移体の断面は、矩形、弧形、円形、楕円形、或いは多辺形であることを特徴とする請求項５に記載の信号用コネクタの盗難防止装置。
【考案の詳細な説明】
【技術分野】
【０００１】
本考案は、信号用コネクタの盗難防止装置に係り、特に、手工具の従動部を嵌合体内部に収めた螺着固定部材の作動部と回転体の貫通孔に係合させて各種形状及び角度の変化を行い、尚且つ、製品は特定性を備え、信号用コネクタを回転させた時の締め付け緊密度を高めて盗難防止機能を果たす信号用コネクタの盗難防止装置に関する。
【背景技術】
【０００２】
現在のコミュニティで使用されている有線テレビシステムの原型となるケーブルテレビ（ＣＡＴＶ）は、光ファイバーネットワーク、光ノード変換等を通してＲＦ（高周波）信号を、接続する同軸ケーブル、信号分配器を伝送媒体として、コミュニティの各ユーザーに向けて、ラジオテレビ、デジタルテレビ、リクエスト、高速インターネット等の多種サービスを提供するものである。
【０００３】
さらに、システムエージェントが設置した光ファイバーネットワークのほとんどは、同軸ケーブルを電柱に空中配線するか、建物の外壁に敷設し、並びに、同軸ケーブルの末端箇所にある信号接続装置をナットを用いて信号分配器上の結合ジョイントに螺着して使用する。コミュニティの顧客がケーブルテレビに無断で接続するのを効果的に防ぐために、一般に行われている方法は、信号分配器のその他未使用の結合ジョイント上に閉塞用ジョイントを螺着し、閉塞用ジョイントを用いて同軸ケーブルと信号分配器上の結合ジョイントの接続を阻止するもので、緊密な螺着と盗難防止機能を達成するために、閉塞用ジョイントと結合ジョイントを互いに封鎖する時には専門の工具が必要となる。
【０００４】
図１１、図１２に、公知の信号用コネクタの盗難防止構造の立体分解図と断面図を示す。その内、盗難防止用コネクタＡは中空の筒状外嵌合部Ａ１を備え、筒状外嵌合部Ａ１内部に収めた筒状内嵌合部Ａ２一方側箇所には螺着部Ａ２１を設け、尚且つ螺着部Ａ２１から離れた一方側箇所には複数の環状歯Ａ２２１を備える結合スロットＡ２２を形成し、結合スロットＡ２２の底部には突起状の錐形部Ａ２２２を形成する。手工具Ｂの棒体部Ｂ１を筒状外嵌合部Ａ１内に挿設する時、棒体部Ｂ１の一方側の従動部Ｂ２に枢着する回転プッシュ体Ｂ２１が結合スロットＡ２２底部の錐形部Ａ２２２を軸方向に支持し、並びに、回転プッシュ体Ｂ２１は錐形部Ａ２２２の斜面に沿って一角度で回転し、さらに結合スロットＡ２２の環状歯Ａ２２１上に径方向に嵌入支持し、手工具Ｂによって従動されて、筒状内嵌合部Ａ２の螺着部Ａ２１と信号用コネクタＣ上の接合部Ｃ１は螺着結合して一体となる。
【考案の概要】
【考案が解決しようとする課題】
【０００５】
しかし、手工具Ｂの回転プッシュ体Ｂ２１は、盗難防止用コネクタＡの結合スロットＡ２２内に位置する環状歯Ａ２２１上に嵌合支持し、回転プッシュ体Ｂ２１本体サイズと角度が非常に精確であってこそ筒状内嵌合部Ａ２をスムーズに回転させることができる。さもなくば、回転プッシュ体Ｂ２１が力をかける部分が容易に磨耗し、筒状内嵌合部Ａ２の環状歯Ａ２２１に表面の磨耗現象が生じる。並びに、単一の回転プッシュ体Ｂ２１のプッシュ力不足のために、さらに大きなねじり力が加わり、或いは、角度が正しくないと螺着が硬くなるために環状歯Ａ２２１が欠ける等の損傷も発生し、回転プッシュ体Ｂ２１が筒状内嵌合部Ａ２の結合スロットＡ２２内を閉塞し、ひっかかりや機能失効を生じさせる。また、盗難防止用コネクタＡは市場において既に大量に普遍的に使用されており、共通使用の手工具Ｂを利用するだけで盗難防止用コネクタＡの螺着を解除することができるため、盗難防止機能の有効性が失われ、尚且つ、盗難防止用コネクタＡは選択できるタイプが少ないために独特性及び専門性に欠如し、市場での広範な流通に従って使用されて手工具Ｂの普遍性も高まる故、盗難防止用コネクタＡの盗難防止機能が失われ、よって、ここに本業界で研究改善の方向性が存在する。
【０００６】
そこで、本考案者は、前述の公知の信号用コネクタの盗難防止構造の問題と欠点に鑑み、関連資料を収集して多方面からの評価と考慮を行い、本業界での長年の研究開発の経験に基づいて試作と修正を繰り返し、ついに本信号用コネクタの盗難防止装置を生み出した。
【課題を解決するための手段】
【０００７】
本考案の主な目的は、次の信号用コネクタの盗難防止装置を提供することにある。嵌合体内部の格納空間に螺着固定部材と回転体を収め、並びに、螺着固定部材内部に信号用コネクタを螺着結合する接続空間を備え、手工具の棒体一方側の従動部を嵌合体の通路から回転体の貫通孔内に挿入し、さらに、螺着固定部材に対応する作動部に挿入すると可動嵌合状態を形成し、螺着固定部材の接続空間と信号用コネクタの螺着と螺着解除を行う。要望に応じてカスタマイズ化可能な本手工具の従動部は、螺着固定部材の作動部及び回転体の貫通孔に係合させて各種の形状及び角度の変化を行うことができ、カスタマイズ化製品に独特な専用性を備えたもので、全体を異なる形式に取替えられる多様性及び選択性を備えたもので、一般市場にある共通の手工具を使用した信号用コネクタの違法接続を防ぐことができ、信号用コネクタ５の緊密な螺着と盗難防止機能を高めることができる。
【０００８】
本考案の次の目的は、次の信号用コネクタの盗難防止装置を提供することにある。本考案の手工具の従動部には少なくとも二つの推移体を備え、並びに、係合する螺着固定部材の作動部の嵌着溝及び回転体の貫通孔のサイズ及び角度は非常に精確でなくともよい。また、手工具は棒体一方側の従動部を回転体に通して螺着固定部材を回転させるものであり、全体構造は非常に簡単、構造強度は良好で、ねじ溝の潰れやねじ山の折れ等による損傷を防ぐことができる。よって、螺着固定部材の接続空間と信号用コネクタの緊密螺着及び盗難防止機能を確実に実現できる。
【考案の効果】
【０００９】
本考案の信号用コネクタの盗難防止装置は、カスタマイズ化製品に独特な専用性を備え、全体を異なる形式に取替えられる多様性及び選択性を備え、一般市場にある共通の手工具を使用した信号用コネクタの違法接続を防ぐことができ、全体構造は非常に簡単、構造強度は良好で、ねじ溝の潰れやねじ山の折れ等による損傷を防ぎ、信号用コネクタの緊密な螺着と盗難防止機能を高める効果を備える。
【図面の簡単な説明】
【００１０】
【図１】本考案の立体斜視外観図である。
【図２】本考案の立体斜視分解図である。
【図３】本考案の別の角度からの立体斜視分解図である。
【図４】本考案の背面図である。
【図５】本考案を使用前の側面断面図である。
【図６】本考案を使用時の側面断面図である。
【図７】本考案を使用後の側面断面図である。
【図８】本考案の好ましい実施例の立体斜視外観図である。
【図９】本考案のもう一つの好ましい実施例の背面図である。
【図１０】本考案のさらにもう一つの好ましい実施例の背面図である。
【図１１】公知信号用コネクタの盗難防止構造の立体斜視分解図である。
【図１２】公知信号用コネクタの盗難防止構造の立体断面図である。
【考案を実施するための形態】
【００１１】
上述の目的及び効果を達成するために、本考案の採用する技術手段、構造、及び機能について、次のとおり、図面を用いた好ましい実施例による詳細説明を行う。これらは本考案の完全理解に役立つことであろう。  
【実施例】
【００１２】
図１〜図４に、本考案の立体斜視外観図、立体斜視分解図、別の角度からの立体斜視分解図、及び背面図である。図面からはっきりと理解できる通り、本考案は、嵌合体１、螺着固定部材２、回転体３、及び手工具４を含む。
【００１３】
その内、嵌合体１は中空の格納体であり、中空内部には螺着固定部材２と回転体３を収められる格納空間１０を備え、格納空間１０の一方側には内径の比較的小さい通路１１を形成し、通路１１から離れたもう一方側の開口１０１周囲エッジには内側方向のストッパー１２を設ける。
【００１４】
螺着固定部材２内部には接続空間２０を備え、接続空間２０内壁面箇所には内ねじ山２０１を設け、螺着固定部材２の内ねじ山２０１一方側箇所には結合口２１１を備えた結合部２１を設け、並びに、結合口２１１周囲エッジには環状支持部２１２を設け、尚且つ、結合部２１から離れたもう一方側には接続空間２０方向に窪んだ形状の環状配列した複数の作動部２２を設け、作動部２２は矩形、弧形、円形、楕円形、或いは多角形等の仕切体或いは嵌着溝２２１とする。
【００１５】
回転体３は回転盤３０を備え、回転盤３０上には環状配列した複数の貫通孔３１を設け、尚且つ、貫通孔３１中央箇所には軸方向に定位柱３２を突設する。
【００１６】
手工具４に備える棒体４１の一方側には従動部４２を設け、従動部４２中央箇所には軸方向に嵌着孔４２０を形成し、嵌着孔４２０の周囲エッジには外側方向の複数の推移体４２１を設け、推移体４２１間には切欠口４２２を形成し、従動部４２から離れる棒体４１の他方側には握り部４３を設ける。
【００１７】
本考案を組み立てる場合は、まず螺着固定部材２と回転体３を嵌合体１の開口１０１箇所から格納空間１０内に収め、螺着固定部材２一方側の結合部２１の周囲エッジ箇所の環状支持部２１２で嵌合体１の開口１０１周囲エッジのストッパー１２を押圧支持して定位させ、回転体３は螺着固定部材２と嵌合体１の間に位置し、回転体３の中央箇所の定位柱３２を嵌合体１の通路１１内に挿入すると、螺着固定部材２と回転体３を嵌合体１から抜け落ちるのを防ぐとともに、螺着固定部材２と回転体３を嵌合体１の格納空間１０内で回転させることができ、こうして本考案全体の組立が完了する。
【００１８】
図５〜８には、本考案の使用前の側面断面図、使用時の側面断面図、使用後の側面断面図、及び好ましい実施例の立体斜視外観図を示した。図から理解できる通り、本考案の信号用コネクタの盗難防止装置はケーブルテレビシステムの信号分配器、アダプター、或いはその他電気設備中の電子機器６に応用し、使用者は手工具４の握り部４３を持ち、棒体４１一方側の従動部４２を嵌合体１の通路１１から格納空間１０内に挿入し、従動部４２の周囲エッジに突設した複数の推移体４２１を回転体３の回転盤３０に位置する複数の貫通孔３１内に挿入する。回転体３の複数の貫通孔３１と螺着固定部材２の複数の作動部２２がずれた位置にあるなら、手工具４の従動部４２周囲エッジの複数の推移体４２１で作動部２２の嵌着溝２２１外側表面を押圧しても、前方に向かって進入できない。この状態時に、握り部４３を回して、従動する棒体４１を時計回り或いは逆時計回りに回転させ、従動部４２の複数の推移体４２１と作動部２２の嵌着溝２２１を向き合わせ、嵌着溝２２１内に挿入すると可動状態での嵌合状態が形成され、尚且つ、複数の推移体４２１間に形成した切欠口４２２が回転体３を支持することにより、棒体４１が格納空間１０内に挿入する距離を制限する。これにより、手工具４の棒体４１の一方側にある従動部４２が回転体３を嵌合すると、これに伴い螺着固定部材２も同時に回転するため、螺着固定部材２と電子機器６上の信号用コネクタ５の螺着作業を便利にする。
【００１９】
さらに、手工具４の棒体４１を嵌合体１の通路１１から格納空間１０内に挿入する時は、回転体３の回転盤３０中央箇所の定位柱３２が通路１１内に延伸し、棒体４１の従動部４２の中央箇所に定位柱３２を挿入するための嵌着孔４２０を形成してあるため、手工具４を続けて前方に押し入れることができ、しかも、第一の盗難防止機構となる。尚且つ、従動部４２周囲エッジの複数の推移体４２１を回転盤３０箇所に挿入する故、回転体３の複数の貫通孔３１形状と角度の設計に応じて、従動部４２に異なる形式及び数量の推移体４２１による阻止定位を行わせ、これが第二の盗難防止機構となる。
【００２０】
続いて、棒体４１の推移体４２１を回転体３の複数の貫通孔３１内に挿入し続け、握り部４３を回して従動する棒体４１を回転すると、従動部４２の推移体４２１は、螺着固定部材２の作動部２２に位置する嵌着溝２２１に向き合い、その後、嵌着溝２２１内に挿入し、可動嵌合状態を形成する。また、回転体３の貫通孔３１と螺着固定部材２の作動部２２の嵌着溝２２１の形状と角度の設計は同様とし単に好ましい実施状態とするが、実際に応用する場合は、異なる数量、形状、角度の構造設計とし、それは単に、回転体３の貫通孔３１と螺着固定部材２の嵌着溝２２１位置の重なる部分に棒体４１の推移体４２１を正面からまっすぐに挿入できる。また、重ならない部分には推移体４２１がその外側表面を支持して、手工具４の棒体４１を前方に押し入れることができなくなるため、これによって第三の盗難防止機構が実現され、良好な盗難防止機能を備えたものとなる。
【００２１】
嵌合体１内部の螺着固定部材２を螺着する過程において、螺着固定部材２の一方側の接続空間２０を信号用コネクタ５の接合部５１に螺着すると、信号用コネクタ５の接合部５１は結合口２１１から結合部２１内に挿入される。これにより、結合部２１は軸方向に接合部５１の外部に嵌着される。使用者が手工具４の握り部４３を持って時計回りに動かすと、棒体４１の一方側にある従動部４２は通路１１から嵌合体１内部に挿入される。さらに、回転体３を経て従動する螺着固定部材２を迅速に回転させ、螺着固定部材２の接続空間２０内壁面箇所の内ねじ山２０１を信号用コネクタ５の接合部５１の外ねじ山５１１に螺着することにより、螺着固定部材２の接続空間２０と信号用コネクタ５の接合部５１を結合して一体化する。嵌合体１に螺着固定部材２と回転体３を係合させて信号用コネクタ５の外部に被嵌することで、効果的に信号用コネクタ５を保護し、破壊的工具を用いて強制的に開く人為的行為、或いはその他の工具を使用して螺着解除されるのを防ぎ、簡単な組立と螺着定位により構造に確実な安定性を備えさせる効果を達成する。
【００２２】
さらに、使用者が信号用コネクタ５の螺着解除を行いたい場合は、ただ、手工具４上の握り部４３を持って逆時計回りに回転し、棒体４１の一方側の従動部４２を回転体３に挿入した後、さらに螺着固定部材２に対応する作動部２２に挿入し、従動部４２の周囲エッジの複数の推移体４２１と作動部２２の嵌着溝２２１に可動嵌合状態を形成させる。これによって、螺着固定部材２と回転体３を同時に逆時計回りさせると、螺着固定部材２の接続空間２０は螺着を緩めて信号用コネクタ５との螺着を解除し、こうして、操作の単純化を達成する。
【００２３】
図２、９、１０には、本考案の立体斜視分解図、もう一つの好ましい実施例の背面図、及び、さらにもう一つの好ましい実施例の背面図を示す。図から理解される通り、本考案では、手工具４一方側の従動部４２に環状配列した三つの推移体４２１を備えているが、これは単に一つの好ましい実施例とする。実際の応用においては、二つ、四つ、或いは複数の推移体４２１とすることも可能とする。また、等距離、不等距離、或いは一部等距離、一部不等距離で環状或いは間隔をあけて配列する螺着固定部材２の嵌着溝２２１及び回転体３の貫通孔３１を係合し、尚且つ、推移体４２１の断面は矩形、弧形、円形、楕円形、或いは多辺形とし、推移体４２１の両側辺によって形成される挟角は120度、155度、165度、195度、205度、或いはその他各種α角度を備えた設計とする。市場の要望に応じてカスタマイズ化した手工具４の推移体４２１を螺着固定部材２の嵌着溝２２１及び回転体３の貫通孔３１構造に係合させる設計は、各種の異なる形状及び角度に変化させることができ、カスタマイズ化した独特の専用性を備える。例えば鍵の方式は、全体を異なる形式に取替えられる多様性及び選択性を備えたもので、一般市場にある共通の手工具４を使用した違法接続を防ぐことができ、信号用コネクタ５の緊密な螺着と盗難防止機能を高めることができる。
【００２４】
本考案の手工具４一方側の従動部４２には少なくとも二つの推移体４２１を備え、並びに、係合する螺着固定部材２の嵌着溝２２１及び回転体３の貫通孔３１のサイズ及び角度は非常に精確でなくてもよい。また、手工具４は棒体４１一方側の従動部４２を回転体３に通して螺着固定部材２を回転させるものであり、全体構造は非常に簡単、構造強度は良好で、ねじ溝の潰れやねじ山の折れ等による損傷を避けることができる。よって、螺着固定部材２の接続空間２０と信号用コネクタ５の接合部５１の緊密螺着及び盗難防止機能を確実に実現できる。
【００２５】
図２、４、７、８に示すとおり、本考案は嵌合体１内部の格納空間１０に螺着固定部材２と回転体３を収め、並びに、螺着固定部材２内部に接続空間２０を備える。これにより、手工具４の棒体４１一方側にある従動部４２を嵌合体１の通路１１から回転体３の貫通孔３１に通した後、螺着固定部材２に対応する作動部２２に可動状態で嵌合し、従動される螺着固定部材２の接続空間２０と信号用コネクタ５を螺着するか螺着解除することを重点とする。要望に応じてカスタマイズ化可能な本手工具４の従動部４２は、螺着固定部材２の作動部２２及び回転体３の貫通孔３１に係合させて各種形状及び角度の変化を行え、カスタマイズ化製品に独特な専用性を備えたもので、信号用コネクタ５の緊密螺着及び盗難防止機能を高めることができる。但し、本実施例は本考案の実用新案登録請求の範囲を限定するものではなく、本考案に開示した技術精神を逸脱せずに完成させた、その他の同等効果を備える変化や修飾は全て、本考案の実用新案登録請求の範囲に含まれるものとする。
【００２６】
前述した通り、本考案の信号用コネクタの盗難防止装置は確実にその効果及び目的を達成するものであり、本考案の非常に優れた実用性は実用新案の出願要件を充分に満たすものである。よって、ここに特許法に依拠して出願を行う。貴庁の審査委員の方々には、考案者の苦労による考案の保証のために早期の批准をお願い申し上げます。何れかの疑問がある場合は遠慮せずに文書にてご指示下さい。考案者は必ず貴庁に協力するよう尽力致します。以上、何卒宜しくお願い致します。
【符号の説明】
【００２７】
１  嵌合体
１０  格納空間
１１  通路
１０１  開口
１２  ストッパー
２  螺着固定部材
２０  接続空間
２０１  内ねじ山
２１  結合部
２１１  結合口
２１２  環状支持部
２２  作動部
２２１  嵌着溝
３  回転体
３０  回転盤
３１  貫通孔
３２  定位柱
４  手工具
４１  棒体
４２  従動部
４２０  嵌着孔
４２１  推移体
４２２  切欠口
４３  握り部
５  信号用コネクタ
５１  接合部
５１１  外ねじ山
６  電子機器
Ａ  盗難防止用コネクタ
Ａ１  筒状外嵌合部
Ａ２  筒状内嵌合部
Ａ２１  螺着部
Ａ２２  結合スロット
Ａ２２１  環状歯
Ａ２２２  錐形部
Ｂ  手工具
Ｂ１  棒体部
Ｂ２１回転プッシュ体
Ｂ２  従動部
Ｃ  信号用コネクタ
Ｃ１  接合部
【図１】
0003174566.tif 000003
【図２】
0003174566.tif 000004
【図３】
0003174566.tif 000005
【図４】
0003174566.tif 000006
【図５】
0003174566.tif 000007
【図６】
0003174566.tif 000008
【図７】
0003174566.tif 000009
【図８】
0003174566.tif 000010
【図９】
0003174566.tif 000011
【図１０】
0003174566.tif 000012
【図１１】
0003174566.tif 000013
【図１２】
0003174566.tif 000014